(57)【要約】【課題】  無線通信に供しない電力の消費を抑制することができる車両用情報提供装置を提供する。【解決手段】  本発明に係る車両用情報提供装置１は、車両に設けられてスマートフォン２から受信した情報を表示する表示装置３と、表示装置３に接続されてスマートフォン２と無線通信を行う無線ユニット４とを備え、無線ユニット４が、スマートフォン２から無線信号を所定時間受信しない場合に省電力状態に入り、表示装置３が、無線ユニット４が省電力状態に入った場合に、そのことを表示する。【選択図】  図１
2020117090.tif 000002
【特許請求の範囲】
【請求項１】
車両に設けられて情報端末機器から受信した情報を表示する表示装置と、
前記表示装置に接続されて前記情報端末機器と無線通信を行う無線ユニットとを備え、
前記無線ユニットが、前記情報端末機器から無線信号を所定時間受信しない場合に省電力状態に入り、
前記表示装置が、前記無線ユニットが省電力状態に入った場合に、そのことを表示することを特徴とする車両用情報提供装置。
【請求項２】
前記表示装置に、前記無線ユニットを省電力状態から通常の起動状態に復帰させる復帰手段が設けられていることを特徴とする請求項１に記載の車両用情報提供装置。
【請求項３】
前記無線ユニットが、前記情報端末機器から無線信号を所定時間受信しない場合に省電力状態に入った後、省電力状態と起動状態とを間欠的に繰り返すとともに、起動状態で前記情報端末機器から無線信号を受信したときに、通常の起動状態に復帰することを特徴とする請求項１又は請求項２に記載の車両用情報提供装置。
【請求項４】
車両に設けられて情報端末機器から受信した情報を表示する表示装置に接続され、前記情報端末機器と無線通信を行う無線ユニットであって、
前記情報端末機器から無線信号を所定時間受信しない場合に省電力状態に入ることを特徴とする無線ユニット。
【請求項５】
前記情報端末機器から無線信号を所定時間受信しない場合に省電力状態に入った後、省電力状態と起動状態とを間欠的に繰り返すとともに、起動状態で前記情報端末機器から無線信号を受信したときに、通常の起動状態に復帰することを特徴とする請求項４に記載の無線ユニット。
【発明の詳細な説明】
【技術分野】
【０００１】
本発明は、車両に設けられて情報端末機器から受信した情報を表示する表示装置と、表示装置に接続されて情報端末機器と無線通信を行う無線ユニットとを備える車両用情報提供装置、及び、その無線ユニットに関する。
【背景技術】
【０００２】
車両に設けられて情報端末機器から受信した情報を表示する表示装置と、表示装置に接続されて情報端末機器と無線通信を行い、表示装置と情報端末機器とを中継する無線ユニットとを備える車両用情報提供装置として、例えば特許文献１に記載されたものがある。この車両用情報提供装置は、車両の各種状態を表示する表示部及び表示部を動作させる制御手段を有する機器ユニット（表示装置）と、外部機器（情報端末機器）との通信を行う通信部（無線ユニット）とを備え、制御手段が、通信部の通信動作を監視して異常を検出すると利用者へ報知するように表示部を動作させ、通信異常が発生したときも本来の車両用計器の機能が損なわれないようにしている。
【先行技術文献】
【特許文献】
【０００３】
【特許文献１】特開２０１５−１２５２３号公報
【発明の概要】
【発明が解決しようとする課題】
【０００４】
ところで、一般に表示装置とは別に給電され、筐体も表示装置とは独立している無線ユニットは、表示装置と情報端末機器との間に設けられる中継的なユニットである。各社、各機種又は各仕向用の車両用情報提供装置が共通の無線ユニットを用いることにより、無線に必要となる電波認証を低減することができるので、最近では各メーカーで無線ユニットが採用されてきているが、このような無線ユニットには、情報端末機器と連携していない場合（情報端末機器と無線通信していない場合）でも電源が印加され続け、無駄な消費電流が発生するという問題がある。
【０００５】
本発明は、上記の事情に鑑みてなされたもので、無線通信に供しない電力の消費を抑制することができる車両用情報提供装置及び無線ユニットを提供することを課題としている。
【課題を解決するための手段】
【０００６】
上記課題を解決するために、本発明に係る車両用情報提供装置は、車両に設けられて情報端末機器から受信した情報を表示する表示装置と、前記表示装置に接続されて前記情報端末機器と無線通信を行う無線ユニットとを備え、前記無線ユニットが、前記情報端末機器から無線信号を所定時間受信しない場合に省電力状態に入り、前記表示装置が、前記無線ユニットが省電力状態に入った場合に、そのことを表示することを特徴とする。
【０００７】
また、本発明に係る無線ユニットは、車両に設けられて情報端末機器から受信した情報を表示する表示装置に接続され、前記情報端末機器と無線通信を行うものであって、前記情報端末機器から無線信号を所定時間受信しない場合に省電力状態に入ることを特徴とする。
【０００８】
前記表示装置には、前記無線ユニットを省電力状態から通常の起動状態に復帰させる復帰手段が設けられてもよい。ここで、「通常の起動状態」とは、無線ユニットは情報端末機器から無線信号を所定時間受信しないと省電力状態に入るが、その省電力状態に入る前の起動状態と同様の起動状態を意味し、通常の起動状態に復帰した無線ユニットは、情報端末機器から無線信号を受信しない時間が所定時間に至らなければ、強制的に省電力状態とされる等の特段の事情がない限り、省電力状態に入らない。
【０００９】
あるいは、前記無線ユニットが、前記情報端末機器から無線信号を所定時間受信しない場合に省電力状態に入った後、省電力状態と起動状態とを間欠的に繰り返すとともに、起動状態で前記情報端末機器から無線信号を受信したときに、通常の起動状態に復帰してもよい。
【発明の効果】
【００１０】
本発明に係る車両用情報提供装置及び無線ユニットによれば、無線通信に供しない電力の消費を抑制することができる。
【図面の簡単な説明】
【００１１】
【図１】発明を実施するための形態に係る車両用情報提供装置を示す説明図である。
【図２】図１の車両用情報提供装置の表示装置の外観を示す説明図である。
【図３】図２の表示装置のディスプレイの表示例を示す説明図である。
【図４】図２の表示装置のディスプレイの他の表示例を示す説明図である。
【図５】図１の車両用情報提供装置の表示装置及び無線ユニットの状態の時間的変化例を示す説明図である。
【図６】図２の表示装置のディスプレイにおける無線ユニットがスリープモードであることの表示例を示す説明図である。
【図７】図１の車両用情報提供装置の表示装置及び無線ユニットの状態の他の時間的変化例を示す説明図である。
【発明を実施するための形態】
【００１２】
本発明を実施するための形態について、図面に基づいて説明する。
【００１３】
図１に示すように、本実施の形態に係る車両用情報提供装置１は、図示を略す車両に設けられてスマートフォン２から受信した情報を表示する表示装置３と、車両に搭載されて表示装置３に接続され、スマートフォン２と無線通信を行う無線ユニット４とを備える。
【００１４】
スマートフォン２には、表示装置３で情報を表示可能なアプリケーションがインストールされている。表示装置３は、マイコン５と、ＧＤＣ（グラフィックディスプレイコントロール）６と、ＧＤＣ６が画像データを生成する際等に使用されるメモリ７と、ＴＦＴ液晶からなるディスプレイ８と、後述のように無線ユニット４を省電力状態から通常の起動状態に復帰させるスイッチ９とを有し、無線ユニット４は、マイコン１０と、無線モジュール１１とを有する。表示装置３及び無線ユニット４は、図示を略す通信インターフェースで有線接続されており、マイコン１０がマイコン５に制御され、また、マイコン５とマイコン１０との間で情報の授受が行われる。
【００１５】
図２に示すように、本実施の形態において表示装置３は二輪車用のメーターを構成し、ディスプレイ８には燃料計やシフトインジケーター、走行距離計、燃費計、現在時刻、スマートフォン２との接続状態等が表示されるほか、スマートフォン２のアプリケーションの情報が表示される。例えば、スマートフォン２のナビゲーション用アプリケーションの起動時には、図３に示すようにルート案内（経路案内情報）が表示され、音楽再生用アプリケーションの起動時には、図４に示すように音楽情報（再生中の曲のタイトルや操作ボタン）が表示される。
【００１６】
図５に示すように、車両の電源が入ると、表示装置３及び無線ユニット４が起動状態となり、マイコン１０は、スマートフォン２からの無線信号があれば受信すべく待機し（起動モード）、起動状態を維持するための電力を消費する。
【００１７】
このように起動モードに入った無線ユニット４は、無線モジュール１１がスマートフォン２から無線信号を所定時間受信しない場合、マイコン１０に組み込まれたプログラムにより省電力状態（マイコン１０の消費電力が起動状態よりも少ない状態）に入る（スリープモード）。ここでは、その所定時間を３０秒に設定している。
【００１８】
このスリープモードでは、無線ユニット４は、たとえスマートフォン２からの無線信号があっても受信せず、そのことを車両の運転者等のユーザーに知らせるために、図６に示すように、マイコン５はＧＤＣ６を介してディスプレイ８に無線ユニット４がスリープモードであることを視覚情報として表示する。当該視覚情報は、前述した経路案内情報（もしくは音楽情報）に代えて切替表示されるものであり、例えば無線ユニットスリープなるメッセージ表示を適用することができる。
【００１９】
ユーザーは、無線ユニット４のスリープモードを解除したければ、スイッチ９を操作すればよい。スイッチ９が操作されると、その操作信号（起動信号）がマイコン５からマイコン１０に送信され、無線ユニット４は省電力状態から通常の起動状態に復帰する。そして、スマートフォン２が無線信号を発信し、この無線信号を無線モジュール１１が受信すると、マイコン１０は受信した無線信号をマイコン５に送信し、マイコン５はＧＤＣ６を介してディスプレイ８にスマートフォン２から受信した情報を表示する処理を実行する（図３及び図４参照）。
【００２０】
図５では、スリープモードに入った無線ユニット４の省電力状態がスイッチ９により解除されたが、図７は、無線ユニット４の省電力状態がスイッチ９によらずに解除される例を示す。
【００２１】
すなわち、車両の電源が入り起動モードに入った無線ユニット４は、無線モジュール１１がスマートフォン２から無線信号を所定時間受信しない場合、マイコン１０に組み込まれたプログラムにより省電力状態に入るが、その後、一定時間が経過すると起動状態となり、省電力状態と起動状態とを間欠的に繰り返す（間欠モード）。
【００２２】
この間欠モードにおいて、無線ユニット４は、起動状態でスマートフォン２から無線信号を受信すると、通常の起動状態に復帰する。マイコン１０は受信した無線信号をマイコン５に送信し、マイコン５はＧＤＣ６を介してディスプレイ８にスマートフォン２から受信した情報を表示する。間欠モードでは、無線ユニット４の省電力状態は永続せず、スイッチ９の操作も不要であるので、無線ユニット４が省電力状態であることや間欠モードであることはディスプレイ８に表示されなくてもよい。
【００２３】
間欠モードにおける省電力状態、起動状態が維持される時間は、特に限定されるものではないが、起動状態が維持される時間を上記の所定時間よりも長くするのであれば、所定時間の経過により省電力状態にすればよく、また、起動状態が維持される時間が短い方が、消費電力の抑制には有効である。一方、省電力状態が維持される時間が長すぎると、無線ユニット４がスマートフォン２からの無線信号を受信し損ねるおそれがあるので、ここでは、省電力状態が維持される時間を１０秒、起動状態が維持される時間を２?３秒に設定している。
【００２４】
本実施の形態に係る車両用情報提供装置１は、車両に設けられてスマートフォン２から受信した情報を表示する表示装置３と、表示装置３に接続されてスマートフォン２と無線通信を行う無線ユニット４とを備え、無線ユニット４が、スマートフォン２から無線信号を所定時間受信しない場合に省電力状態に入るので、無線ユニット４にスマートフォン２と無線通信していない時間帯も電源が印加され続け、無駄な消費電流が発生するという事態が防止され、無線通信に供しない電力の消費を抑制することができる。
【００２５】
また、表示装置３が、無線ユニット４が省電力状態に入った場合に、そのことを表示することにより、ユーザーは車両用情報提供装置１がスマートフォン２との通信を行わない状態であると知ることができ、運転中に機器の不調を確かめる等の運転操作と関係ない動作を行わなくてすむ。
【００２６】
さらに、図７においては、無線ユニット４が、スマートフォン２から無線信号を所定時間受信しない場合に省電力状態に入った後、省電力状態と起動状態とを間欠的に繰り返すとともに、起動状態でスマートフォン２から無線信号を受信したときに、通常の起動状態に復帰するので、ユーザーは、スリープモードを解除するためのスイッチ９の操作も行わなくてすみ、運転操作に一層集中しやすくなる。
【００２７】
以上、本発明を実施するための形態について例示したが、本発明の実施形態は上述したものに限られず、発明の趣旨を逸脱しない範囲で適宜変更等してもよい。
【００２８】
例えば、上記実施の形態では、無線ユニット４がマイコン１０に組み込まれたプログラムで自律的にスリープモードや間欠モードに入る構成としたが、そのプログラムが表示装置３のマイコン５に組み込まれ、無線ユニット４が表示装置３に制御されてスリープモードや間欠モードに入ってもよい。
【００２９】
また、車両用情報提供装置１（表示装置３及び無線ユニット４）は、二輪車以外の車両に設けられてもよく、表示装置３のディスプレイ８は、ＴＦＴ液晶ではなく有機ＥＬ等であってもよい。
【００３０】
さらに、無線ユニット４がスリープモード・省電力状態にあることのユーザーへの通知は、必ずしも表示装置３の表示により行わなくてもよく、例えば音や光で通知してもかまわない。
【符号の説明】
【００３１】
１    車両用情報提供装置
２    スマートフォン（情報端末機器）
３    表示装置
４    無線ユニット
９    スイッチ（復帰手段）
【図１】
2020117090.tif 000003
【図２】
2020117090.tif 000004
【図３】
2020117090.tif 000005
【図４】
2020117090.tif 000006
【図５】
2020117090.tif 000007
【図６】
2020117090.tif 000008
【図７】
2020117090.tif 000009